(57)【要約】【課題】  チューナのダイバーシティ機能を損なうことなく、受信機のバックグラウンドチューナを用いて所定の番組のＴＭＣデータを安定して受信すること。【解決手段】  本発明は、第１の受信周波数に受信機のメインチューナをチューニングして、第１の放送チャンネル信号を受信し、第２の受信周波数にバックグラウンドチューナをチューニングして、第２の放送チャンネル信号（第２の放送チャンネル信号は、データブロック中にデジタル情報を含む）を受信し、第２の放送チャンネル信号における第１のデータブロックをバックグラウンドチューナにおいて受信し、第２の放送チャンネル信号中の第２のデータブロックの伝送時間を推定し、第一のデータブロックの受信の完了の際、第３の受信周波数にバックグラウンドチューナをチューニングし、推定された第２のデータブロックの時間において第２の受信周波数にバックグラウンドチューナをチューニングする。【選択図】  図１
2004343745.tif 000002
【特許請求の範囲】
【請求項１】
メインチューナおよびバックグラウンドチューナを含む放送受信機でデジタルデータを受信するための方法であって、
第１の受信周波数に該メインチューナをチューニングして第１の放送チャンネル信号を受信するステップと、
第２の受信周波数に該バックグラウンドチューナをチューニングして第２の放送チャンネル信号を受信するステップであって、該第２の放送チャンネル信号はデータブロック中にデジタル情報を含む、ステップと、
該バックグラウンドチューナにおいて該第２の放送チャンネル信号中の第１のデータブロックを受信するステップと、
該第２の放送チャンネル信号中の該第２のデータブロックの伝送時間を推定するステップと、
該第１のデータブロックの受信の終了の際、第３の受信周波数に該バックグラウンドチューナをチューニングするステップと、
該推定された該第２のデータブロックの伝送時間で該第２の受信周波数に該バックグラウンドチューナをチューニングするステップと
を包含する方法。
【請求項２】
前記第２の無線放送チャンネル信号中のデータブロックを受信することなく、所定の時間間隔が経過した場合、前記少なくとも第３の受信周波数に前記バックグラウンドチューナをチューニングするステップをさらに包含する、請求項１に記載の方法。
【請求項３】
前記第１および少なくとも第３の受信周波数において受信された前記無線放送信号が同一の無線放送番組を提供する、請求項１または２に記載の方法。
【請求項４】
前記第３の周波数は、周波数帯域のスキャン動作において使用されて、前記第２の放送チャンネル信号中の前記第１のデータブロックの受信終了と、前記第２のデータブロックの伝送時間の推定されたポイントとの間のタイムスパンで、前記バックグラウンドチューナにおける代わりの受信周波数の前記無線放送番組の最適化された受信周波数を決定する、請求項３に記載の方法。
【請求項５】
前記第３の無線放送チャンネル信号中のデジタル情報を前記バックグラウンドチューナで受信して、前記無線放送番組の代わりの受信周波数を決定するステップをさらに包含する、請求項４に記載の方法。
【請求項６】
前記第２および／または第３の無線放送チャンネル信号中の前記デジタル信号をオーディオおよび／または可観フォーマットで複製するステップをさらに包含する、請求項１〜５に記載の方法。
【請求項７】
前記第２の無線放送チャンネル信号中の前記デジタル信号をナビゲーションシステムに供給するステップをさらに包含する、請求項１〜６に記載の方法。
【請求項８】
ナビゲーションシステムによって提供される運行経路情報に基づいて、前記第２の受信周波数を選択するステップをさらに包含する、請求項７に記載の方法。
【請求項９】
前記第２の放送チャンネル信号中のデータブロック間の時間間隔のずれについての統計値を維持するステップをさらに包含し、前記時間間隔は、該統計値に基づいて決定される、請求項１〜８に記載の方法。
【請求項１０】
前記バックグラウンドチューナは、前記第３の受信周波数から前記第２の受信周波数にチューニングを変更する度に、前記統計値を更新するステップをさらに包含する、請求項９に記載の方法。
【請求項１１】
前記統計値に基づいて前記所定の時間間隔を変更するステップをさらに包含する、請求項９または１０に記載の方法。
【請求項１２】
前記第２および／または第３の放送チャンネル信号の受信品質を計測し、かつ該計測された受信品質が所定の閾値未満に低下する場合、前記所定の時間間隔を小さくするステップを包含する、請求項１〜１１に記載の方法。
【請求項１３】
前記第２の放送チャンネル信号中の前記デジタル情報が交通および運行情報（ＴＴＩ）である、請求項１〜１２に記載の方法。
【請求項１４】
前記交通および運行情報（ＴＴＩ）が、交通メッセージチャンネル（ＴＭＣ）フォーマットで符号化される、請求項１３に記載の方法。
【請求項１５】
前記第３の無線放送チャンネル信号中のデジタル情報は、交通および運行情報（ＴＴＩ）または無線データシステム（ＲＤＳ）情報である、請求項１〜１４に記載の方法。  
【請求項１６】
前記第２の放送チャンネル信号を受信するステップは、前記受信されたオーディオ信号を出力するステップを包含する、請求項１〜１５に記載の方法。
【請求項１７】
放送チャンネル信号中のデジタル情報を受信するための放送受信機であって、
第１の受信周波数で第１の放送チャンネル信号（３０１）を受信するメインチューナ（１０３）と、
第２の受信周波数で第２の放送チャンネル信号（３０２）を受信し、かつ第３の受信周波数で第３の放送チャンネル信号を受信するためのバックグラウンドチューナ（１０４）であって、該第２の無線放送信号（３０２）は、デジタルデータ（３０３）を含み、該デジタルデータは、離散データブロックとして伝送される、バックグラウンドチューナ（１０４）と、
該第２の無線放送チャンネル信号（３０２）中の次のデータブロック（３０４）の伝送時間を推定するためのタイミング手段（１０８）とを含み、
該バックグラウンドチューナ（１０４）は、
第１のデータブロック（３０３）を受信するための該第２の受信周波数に該バックグラウンドチューナ（１０４）をスイッチングし、
該第１のデータブロック（３０３）の受信の終了後に、少なくとも１つの第３の受信周波数に該バックグラウンドチューナ（１０４）をスイッチングし、
該タイミング手段によって推定された時間において第２のデータブロック（３０４）を受信するための該第２の受信周波数に該バックグラウンドチューナを再度スイッチングする
ためのスイッチング手段（１０５）を含む、放送受信機。
【請求項１８】
前記スイッチング手段（１０５）は、所定の時間間隔（Ｔｂａｃｋ−ｏｆｆ）が前記第２の無線放送チャンネル信号（３０２）中のデータブロック（４０４）を受信することなく経過した場合、前記少なくとも第３の受信周波数に該バックグラウンドチューナ（１０４）をスイッチングするように適応される、請求項１７に記載の放送受信機。
【請求項１９】
前記第１および第３の受信周波数で受信された前記放送信号は、同一の放送番組を提供する、請求項１７または１８に記載の放送受信機。
【請求項２０】
前記第２および／または第３の無線放送チャンネル信号（３０１、３０２）中のデータブロックから発生する情報を表示するためのディスプレイ（１１２）をさらに含む、請求項１７〜１９に記載の放送受信機。
【請求項２１】
前記第２および／または第３の無線放送チャンネル信号（３０１、３０２）中のデータブロックから発生する情報がオーディオフォーマットでスピーカ（１１３）によって出力される、請求項１７〜２０に記載の放送受信機。
【請求項２２】
前記バックグラウンドチューナ（１０４）は、
前記第２の無線放送チャンネル信号（３０２）中の第１のデータブロック（３０３）の終了と前記タイミング手段（１０８）によって推定された時間のポイントとの間のタイムスパンで、複数の可能な周波数中の前記無線放送番組の最適化された受信周波数の周波数帯域をスキャンするため、
最良の受信品質を提供する該最適化された受信周波数に前記メインチューナ（１０１）をチューニングするための周波数選択手段を含む、請求項１９〜２１に記載の放送受信機。
【請求項２３】
前記放送受信機（１０１）は、ナビゲーションシステム（１１０）に接続され、該無線放送受信機（１０１）は、前記第２の無線放送チャンネル信号（３０２））中のデジタル情報または該無線放送受信機から該ナビゲーションシステム（１１０）に発生する情報を供給するように適応される、請求項１７〜２２に記載の放送受信機。
【請求項２４】
前記バックグラウンドチューナ（１０４）は、前記ナビゲーションシステム（１１０）によって提供される運行経路情報に基づいて前記第２の受信周波数を選択するように適応される、請求項２３に記載の放送受信機。
【請求項２５】
前記第２の無線放送チャンネル信号（３０２）中の前記デジタル情報（３０３、３０４、３０５）は、交通および運行情報を含む、請求項１７〜２４に記載の放送受信機。
【請求項２６】
前記第２および／または第３の無線放送チャンネル信号（３０１、３０２）の受信品質を計測するための受信品質計測手段（１０９）をさらに含む、請求項１９〜２５に記載の放送受信機。
【請求項２７】
前記タイミング手段（１０８）は、さらなるデータブロックを受信するための時間（Ｔ）および前記計測された受信品質に基づいて所定の時間間隔（Ｔｂａｃｋ−ｏｆｆ）を推定するように適応される、請求項２６に記載の放送受信機。
【請求項２８】
前記デジタル情報は、交通メッセージチャンネルフォーマットで伝送される、請求項２６に記載の放送受信機。
【請求項２９】
前記代３の無線放送チャンネル信号（３０１）中のデジタル情報が、交通および運行情報および／または無線データシステム情報である、請求項２１〜２７に記載の放送受信機。
【請求項３０】
前記受信されたオーディオ信号を出力するためのスピーカ（１１３）をさらに含む、請求項１７〜２９に記載の放送受信機。
【請求項３１】
請求項１７〜３０の内の１つに記載の無線放送受信機（１０１）を含む、車両内受信機。
【発明の詳細な説明】
【技術分野】
【０００１】
本発明は、メインチューナおよびバックグラウンドチューナを含む無線放送受信機におけるデジタルデータを受信するための方法に関する。さらに、本発明は、無線放送チャンネル信号に含まれるデジタル情報を受信するための無線放送受信機に関する。
【背景技術】
【０００２】
自動車による道路上の交通渋滞の悪化は、交通状況に関する正確かつタイムリーな情報に関する要求を生み出してきた。放送は、その従来の配信モードにおける無線放送案内の数を単に増加させるだけによっては応答できない。これは、大衆に受け入れられず、無論、情報がその案内に関係しない限り、大衆の多くは、このような案内が信用できず、反復的であり、いら立つといった懸念を示す。データ放送ノードを介する交通および運行情報（ＴＴＩ）の送信は、この問題を解決する。なぜなら、ＴＴＩデータは、不可聴的に送信され得、かつさらに受信機においてフィルタリングされ得、それにより、エンドユーザは、その運行路に関連するデータを獲得するだけであることを確実にする。
【０００３】
後に、ＴＴＩサービスの多重配信方法が出現した。例えば、デジタルオーディオ放送（ＤＡＢ）、デジタルビデオ地上放送（ＤＶＢＴ）、大域的モバイル通信システム（ｇｌｏｂａｌ  ｓｙｓｔｅｍ  ｆｏｒ  ｍｏｂｉｌｅ  ｃｏｍｍｕｎｉｃａｔｉｏｎｓ）（ＧＳＭ）、ユニバーサルモバイルテレコミュニケーションシステム（ＵＭＴＳ）、および周知の無線データシステム（ＲＤＳ）は、交通および運行情報（ＴＴＩ）の放送配信方法に対する例である。さらに、インターネットを介したこの情報の配信へのアプローチが提示されてきた。
【０００４】
ヨーロッパおよび他の地域でＲＤＳが広範に展開されてきたので、自動車製造業者は、多機能ディスプレイ付き自動車無線受信機をダッシュボードに一体化させた。しばしば、これらの一体化システムは、テレマティックデバイスまたはナビゲーションシステムなどのモジュールをさらに含んでいる。
【０００５】
ＲＤＳは、データが不可聴的に搬送されるような態様で、既存のステレオ伝送の副搬送波にデータを付与する技術を使用する。ＲＤＳは、番組に関連する局面を支援し、かつその容量が存在すれば、非番組関連データサービスがさらに付与されることを可能にする広範囲な特性を用いて設計される。
【０００６】
ほとんどの公知のＲＤＳ特性は、これらの典型的なＲＤＳ無線放送受信機において見られる。通常、現代の自動車受信機は、以下のサービスを支援する。そのサービスである代わりの周波数（Ａｌｔｅｒｎａｔｉｖｅ  Ｆｒｅｑｕｅｎｃｉｅｓ）（ＡＦ）は、周波数（様々な送信機が、この周波数を用いて同じまたは隣接する受信領域で同じ無線番組を放送する）に関する情報を与え、別の周波数または送信機に切り替える時間を減らすためにメモリを具備する無線放送受信機が代わりの周波数のリストを格納することを可能にすることを保証することを意図している。番組サービス（ＰＳ）名前指定機能（ｎａｍｅ  ｆｅａｔｕｒｅ）は、情報をＲＤＳ受信機に提供して、例えば、ディスプレイのチューニング周波数ではなく、無線放送番組サービスの名前を表示するように設計される。
【０００７】
他の重要な機能は、受信した通信が交通案内を搬送するか搬送しないかを受信機に知らせる交通案内（ＴＡ）および交通番組（ＴＰ）である。ＲＤＳによってさらに支援されるサービスは、番組タイプ（ｐｒｏｇｒａｍ  ｔｙｐｅ）（ＰＴ）、無線テキスト（ｒａｄｉｏ  ｔｅｘｔ）（ＲＴ）、クロックのタイプおよび日付（ｃｌｏｃｋ  ｔｙｐｅ  ａｎｄ  ｄａｔｅ）（ＣＴ）、デコーダ識別（ｄｅｃｏｄｅｒ  ｉｄｅｎｔｉｆｉｃａｔｉｏｎ）（ＤＩ）、ダイナミックＰＴＹインジケータ（ｄｙｎａｍｉｃ  ＰＴＹ  ｉｎｄｉｃａｔｏｒ）（ＰＴＹＩ）、拡張された他のネットワーク情報（ｅｎｈａｎｃｅｄ  ｏｔｈｅｒ  ｎｅｔｗｏｒｋｓ  ｉｎｆｏｒｍａｔｉｏｎ）（ＥＯＮ）、音楽言語スイッチ（ｍｕｓｉｃ  ｓｐｅｅｃｈ  ｓｗｉｔｃｈ）（ＭＳ）、オープンデータアプリケーション（ｏｐｅｎ  ｄａｔａ  ａｐｐｌｉｃａｔｉｏｎ）（ＯＤＡ）、番組アイテムナンバー（ｐｒｏｇｒａｍ  ｉｔｅｍ  ｎｕｍｂｅｒ）（ＰＩＮ）である。
【０００８】
ＲＤＳ規格によって提供される別の重要なサービスは、交通メッセージチャンネル（ｔｒａｆｆｉｃ  ｍｅｓｓａｇｅ  ｃｈａｎｎｎｅｌ）（ＴＭＣ）である。ＲＤＳ−ＴＭＣの目的は、データとしてデジタル交通および運行情報（ＴＴＩ）メッセージを、ＲＤＳを用いるＦＭ伝送で放送することである。これは、無線番組を妨害する必要性なしで、正確で、タイムリー、かつ関連情報の配信を可能にする。
【０００９】
一般的に、現代の無線放送受信機は、メインチューナおよびバックグラウンドチューナを含み得る。通常、このメインチューナは、聴取者によって選択される所定の周波数で無線放送周波数を受信し、かつスピーカ等の出力ユニットにその受信されたオーディオ信号を供給しなければならない。さらに、メインチューナは、それがチューニングされる無線放送番組に対応するＲＤＳデータを受信するために使用される。バックグラウンドチューナの主な役割は、メインチューナがチューニングされる同一の無線放送番組を受信するために、代わりの周波数の周波数帯域をスキャンすることである。一般的に、これらの代わりの周波数は、代わりの周波数の情報を取得するために、バックグラウンドチューナによって解析されるＲＤＳデータストリーム（代わりの周波数特性）内に提供される。
【００１０】
メインチューナは、例えば、ＲＤＳ−ＴＭＣデータ等の交通および運行情報（ＴＴＩ）を含むデータブロックを受信するために使用され得る。別の可能性は、このようなデータブロックをバックグラウンドチューナで受信することである。両方の解決策において、メインチューナおよびバックグラウンドチューナは、それぞれ固有の周波数にチューニングされる必要がある。
【００１１】
正確、タイムリー、かつ関連する情報を提供するために、単一の無線放送チャンネル信号から放送される全てのデータブロックを受信することが重要である。しかし、メインチューナおよびバックグラウンドチューナが現在チューニングされている無線放送チャンネルのデータブロックのみを受信することが望ましい。例えば、所定の無線放送番組からデータブロックを絶えず受信しつつ、ユーザによって選択される番組およびメインチューナがチューニングされる番組が頻繁に変化している。
【発明の開示】
【発明が解決しようとする課題】
【００１２】
したがって、そのダイバーシティ機能（すなわち、メインチューナの選択される無線放送番組の大体の周波数帯域をスキャンすること、後の番組のＲＤＳ情報を受信すること等）を損なうことなく、バックグラウンドチューナを用いて所定の無線放送番組上のＴＭＣデータを安定して受信する課題が生じる。
【００１３】
したがって、本発明の目的は、従来の無線受信機の欠点を克服することである。
【００１４】
本発明のさらなる目的は、無線放送システムにおけるデジタルデータを受信するための方法および無線放送受信機を提供することにより、そのダイバーシティ機能を損なうことなく、バックグラウンドチューナによって交通および運行情報（ＴＴＩ）等のデータブロックの完全な受信を可能にすることである。
【課題を解決するための手段】
【００１５】
上記問題は、独立請求項１および請求項１７の内容によって解決される。
【００１６】
本発明による方法は、メインチューナおよびバックグラウンドチューナを含む放送受信機でデジタルデータを受信するための方法であって、第１の受信周波数に該メインチューナをチューニングして第１の放送チャンネル信号を受信するステップと、第２の受信周波数に該バックグラウンドチューナをチューニングして第２の放送チャンネル信号を受信するステップであって、該第２の放送チャンネル信号はデータブロック中にデジタル情報を含む、ステップと、該バックグラウンドチューナにおいて該第２の放送チャンネル信号中の第１のデータブロックを受信するステップと、該第２の放送チャンネル信号中の該第２のデータブロックの伝送時間を推定するステップと、該第１のデータブロックの受信の終了の際、第３の受信周波数に該バックグラウンドチューナをチューニングするステップと、該推定された該第２のデータブロックの伝送時間で該第２の受信周波数に該バックグラウンドチューナをチューニングするステップとを包含し、これにより上記目的を達成する。
【００１７】
前記第２の無線放送チャンネル信号中のデータブロックを受信することなく、所定の時間間隔が経過した場合、前記少なくとも第３の受信周波数に前記バックグラウンドチューナをチューニングするステップをさらに包含してもよい。
【００１８】
前記第１および少なくとも第３の受信周波数において受信された前記無線放送信号が同一の無線放送番組を提供してもよい。
【００１９】
前記第３の周波数は、周波数帯域のスキャン動作において使用されて、前記第２の放送チャンネル信号中の前記第１のデータブロックの受信終了と、前記第２のデータブロックの伝送時間の推定されたポイントとの間のタイムスパンで、前記バックグラウンドチューナにおける代わりの受信周波数の前記無線放送番組の最適化された受信周波数を決定してもよい。
【００２０】
前記第３の無線放送チャンネル信号中のデジタル情報を前記バックグラウンドチューナで受信して、前記無線放送番組の代わりの受信周波数を決定するステップをさらに包含してもよい。
【００２１】
前記第２および／または第３の無線放送チャンネル信号中の前記デジタル信号をオーディオおよび／または可観フォーマットで複製するステップをさらに包含してもよい。
【００２２】
前記第２の無線放送チャンネル信号中の前記デジタル信号をナビゲーションシステムに供給するステップをさらに包含してもよい。
【００２３】
ナビゲーションシステムによって提供される運行経路情報に基づいて、前記第２の受信周波数を選択するステップをさらに包含してもよい。
【００２４】
前記第２の放送チャンネル信号中のデータブロック間の時間間隔のずれについての統計値を維持するステップをさらに包含し、前記時間間隔は、該統計値に基づいて決定されてもよい。
【００２５】
前記バックグラウンドチューナは、前記第３の受信周波数から前記第２の受信周波数にチューニングを変更する度に、前記統計値を更新するステップをさらに包含してもよい。
【００２６】
前記統計値に基づいて前記所定の時間間隔を変更するステップをさらに包含してもよい。
【００２７】
前記第２および／または第３の放送チャンネル信号の受信品質を計測し、かつ該計測された受信品質が所定の閾値未満に低下する場合、前記所定の時間間隔を小さくするステップを包含してもよい。
【００２８】
前記第２の放送チャンネル信号中の前記デジタル情報が交通および運行情報（ＴＴＩ）であってもよい。
【００２９】
前記交通および運行情報（ＴＴＩ）が、交通メッセージチャンネル（ＴＭＣ）フォーマットで符号化されてもよい。
【００３０】
前記第３の無線放送チャンネル信号中のデジタル情報は、交通および運行情報（ＴＴＩ）または無線データシステム（ＲＤＳ）情報であってもよい。
【００３１】
前記第２の放送チャンネル信号を受信するステップは、前記受信されたオーディオ信号を出力するステップを包含してもよい。
【００３２】
本発明による放送受信機は、放送チャンネル信号中のデジタル情報を受信するための放送受信機であって、第１の受信周波数で第１の放送チャンネル信号（３０１）を受信するメインチューナ（１０３）と、第２の受信周波数で第２の放送チャンネル信号（３０２）を受信し、かつ第３の受信周波数で第３の放送チャンネル信号を受信するためのバックグラウンドチューナ（１０４）であって、該第２の無線放送信号（３０２）は、デジタルデータ（３０３）を含み、該デジタルデータは、離散データブロックとして伝送される、バックグラウンドチューナ（１０４）と、該第２の無線放送チャンネル信号（３０２）中の次のデータブロック（３０４）の伝送時間を推定するためのタイミング手段（１０８）とを含み、該バックグラウンドチューナは、第１のデータブロック（３０３）を受信するための該第２の受信周波数に該バックグラウンドチューナ（１０４）をスイッチングし、該第１のデータブロック（３０３）の受信の終了後に、少なくとも１つの第３の受信周波数に該バックグラウンドチューナ（１０４）をスイッチングし、該タイミング手段によって推定された時間において第２のデータブロック（３０４）を受信するための該第２の受信周波数に該バックグラウンドチューナ（１０４）を再度スイッチングするためのスイッチング手段（１０５）を含み、これにより上記目的を達成する。
【００３３】
前記スイッチング手段（１０５）は、所定の時間間隔（Ｔｂａｃｋ−ｏｆｆ）が前記第２の無線放送チャンネル信号（３０２）中のデータブロック（４０４）を受信することなく経過した場合、前記少なくとも第３の受信周波数に該バックグラウンドチューナ（１０４）をスイッチングするように適応されてもよい。
【００３４】
前記第１および第３の受信周波数で受信された前記放送信号は、同一の放送番組を提供してもよい。
【００３５】
前記第２および／または第３の無線放送チャンネル信号（３０１、３０２）中のデータブロックから発生する情報を表示するためのディスプレイ（１１２）をさらに含んでもよい。
【００３６】
前記第２および／または第３の無線放送チャンネル信号（３０１、３０２）中のデータブロックから発生する情報がオーディオフォーマットでスピーカ（１１３）によって出力されてもよい。
【００３７】
前記バックグラウンドチューナ（１０４）は、前記第２の無線放送チャンネル信号（３０２）中の第１のデータブロック（３０３）の終了と前記タイミング手段（１０８）によって推定された時間のポイントとの間のタイムスパンで、複数の可能な周波数中の前記無線放送番組の最適化された受信周波数の周波数帯域をスキャンするため、最良の受信品質を提供する該最適化された受信周波数に前記メインチューナ（１０１）をチューニングするための周波数選択手段を含んでもよい。
【００３８】
前記放送受信機（１０１）は、ナビゲーションシステム（１１０）に接続され、該無線放送受信機（１０１）は、前記第２の無線放送チャンネル信号（３０２））中のデジタル情報または該無線放送受信機から該ナビゲーションシステム（１１０）に発生する情報を供給するように適応されてもよい。
【００３９】
前記バックグラウンドチューナ（１０４）は、前記ナビゲーションシステム（１１０）によって提供される運行経路情報に基づいて前記第２の受信周波数を選択するように適応されてもよい。
【００４０】
前記第２の無線放送チャンネル信号（３０２）中の前記デジタル情報（３０３、３０４、３０５）は、交通および運行情報を含んでもよい。
【００４１】
前記第２および／または第３の無線放送チャンネル信号（３０１、３０２）の受信品質を計測するための受信品質計測手段（１０９）をさらに含んでもよい。
【００４２】
前記タイミング手段（１０８）は、さらなるデータブロックを受信するための時間（Ｔ）および前記計測された受信品質に基づいて所定の時間間隔（Ｔｂａｃｋ−ｏｆｆ）を推定するように適応されてもよい。
【００４３】
前記デジタル情報は、交通メッセージチャンネルフォーマットで伝送されてもよい。
【００４４】
前記代３の無線放送チャンネル信号（３０１）中のデジタル情報が、交通および運行情報および／または無線データシステム情報であってもよい。
【００４５】
前記受信されたオーディオ信号を出力するためのスピーカ（１１３）をさらに含んでもよい。
【００４６】
上記の無線放送受信機（１０１）を含むことにより、上記目的を達成する。
【００４７】
本発明は、無線放送受信機におけるデジタルデータを受信するための方法を提供する。この無線放送受信機は、メインチューナを第１の受信周波数にチューニングして、第１の放送チャンネル信号を受信し、バックグラウンドチューナを第２の受信周波数にチューニングして、第２の放送チャンネル信号（第２の放送チャンネル信号は、データブロック内にデジタル情報を含む）にチューニングし、バックグラウンドチューナにおいて第２の放送チャンネル信号中の第１のデータブロックを受信し、第２の放送チャンネル信号中の第２のデータブロックの伝送時間を推定し、第１のデータブロックの受信の完了の際に、バックグラウンドチューナを第３の受信周波数にチューニングし、そして、その推定された第２のデータブロックの伝送時間においてバックグラウンドチューナを第２の受信周波数にチューニングする。
【００４８】
したがって、バックグラウンドチューナは、無線放送チャンネルに容易にチューニングされず、そのチャンネルが選択されて、必要な交通および運行情報を提供するが、短時間の間隔の間に、このチャンネルにチューニングされるだけであり、その間、データブロックが受信されることが期待される。したがって、バックグラウンドチューナのダイバーシティ機能（すなわち、メインチューナがチューニングされる無線放送番組の最適な受信のために、代わりの周波数の周波数帯域をスキャンしつつ、代わりの第２の無線チャンネル信号中のデータブロックの安全な受信を確実にする）を維持することが可能である。
【００４９】
データブロックがＴＴＩ上で受信されて、無線放送チャンネル（第２の無線放送チャンネル）を提供するべきであるタイミングは、例えば、ＲＤＳデータストリーム中の連続的なＴＭＣデータブロック間の平均時間間隔を計測することによって決定され得る。
【００５０】
この場合、第２のデータブロックを受信するための第２の無線放送チャンネル信号へ切り替えは、非常に遅くて、第２のデータブロックは受信されず、第２の無線放送チャンネル信号に含まれるデータブロックを受信することなく、所定の時間間隔が経過した場合、バックグラウンドチューナを少なくとも第３の無線ブロードチャンネルにチューニングすることが有利である。その所定の時間間隔とは、その時間間隔後に、第２の無線放送チャンネル信号の第２のデータブロックを受信しようとするときに、第２の無線放送チャンネル信号のデータブロックの最初が検出される時間間隔である。
【００５１】
第１および第３の受信周波数において受信された無線放送チャンネル信号が同一の無線放送番組を提供することがさらに可能である。
【００５２】
本方法は、バックグラウンドチューナが所定のポイントにおいて第３の受信周波数に遅れることなくチューニングされるスキャン動作をさらに含み得る。第３の受信周波数（または、場合によっては複数の第３の周波数）が使用されて、第１の受信周波数の交換受信周波数の品質を決定し得る（ダイバーシティ機能）。バックグラウンドチューナは、第２の無線放送チャンネル信号に含まれる第１のデータブロックの受信の終了と、第２のデータブロックの伝送の場合の推定ポイントの開始との間のタイムスパンにおける第３の受信周波数にチューニングされ得る。
【００５３】
例えば、第３の無線放送チャンネル信号からＲＤＳ情報の形態でデジタル情報を読み出すためには、本方法は、バックグラウンドチューナにおいて第３の無線放送チャンネルに含まれるデジタル情報を受信して、無線放送番組の交換受信周波数を決定するステップを含む。さらに、第２および／または第３の無線放送チャンネル信号に含まれるデジタル情報は、ユーザに対してオーディオおよび／または可視フォーマットで有利に複製され得る。
【００５４】
交通および運行情報（ＴＴＩ）の利用について、第２の無線放送チャンネル信号中のデジタル情報をナビゲーションシステムに提供して、そのナビゲーションシステムが受信されたＴＴＩ情報に基づいて運行経路を選択することを可能にする（ダイナミックナビゲーション）ことが望ましい。
【００５５】
計画された運行経路についてナビゲーションシステムに伝えるために、ナビゲーションが運行経路情報に基づいて第２の受信周波数を選択することがさらに望ましい。
【００５６】
例えば、減衰または干渉に起因する無線放送信号の受信品質の変化に応答するために、第２の放送チャンネル信号のデータブロック間の時間間隔のずれについての統計値が保持され得、時間間隔が統計値に基づいて決定され得る。
【００５７】
バックグラウンドチューナは、少なくとも第３の受信周波数から第２の受信周波数にチューニングを変化させる度に統計値が更新されることが望ましい。その統計値は、その統計値に基づいて所定の時間間隔を変更するためにさらに使用され得る。
【００５８】
第２の放送チャンネル信号に含まれるデジタル情報は、例えば、交通メッセージチャンネル（ＴＭＣ）情報等の交通および運行情報（ＴＴＩ）である。第３の放送チャンネル信号に含まれるデジタル情報は、例えば、無線データシステム（ＲＤＳ）情報のための交通および運行情報（ＴＴＩ）である。
【００５９】
さらに、本発明は、無線放送チャンネル信号に含まれるデジタル情報を受信するために無線放送受信機を提供する。上記目的を解決するために、無線放送受信機は、第１の受信周波数で第１の放送チャンネル信号を受信するメインチューナと、第２の受信周波数で第２の放送チャンネル信号を受信し、かつ第３の受信周波数で第３の放送チャンネル信号を受信するバックグラウンドチューナであって、第２の無線放送信号は、デジタルデータを含み、デジタルデータは、離散的データブロックとして伝送される、バックグラウンドチューナと、第２の無線放送チャンネル信号の第２のデータブロックの伝送時間を推定するタイミング手段とを含み、バックグラウンドチューナは、データブロックを受信するための第２の受信周波数にバックグラウンドチューナを切り替え、データブロックの受信終了の後に、少なくとも１つの第３の受信周波数にバックグラウンドチューナを切り替え、かつ、タイミング手段によって推定された時間で第２のデータブロックを受信するために第２の周波数にバックグラウンドチューナを再度切り替える。
【００６０】
有利には、第２の無線放送チャンネル信号中のデータブロックを受信することなく、所定の時間間隔が経過した場合に、スイッチング手段は、少なくとも第３の受信周波数にバックグラウンドチューナを切り替えるように適応している。
【００６１】
さらに、第１および少なくとも第３の受信周波数において受信された無線放送チャンネル信号が同一の無線放送番組を提供することが可能である。
【００６２】
第２のおよび／または第３の無線放送チャンネル信号に含まれるデジタル情報を表示するために、無線放送受信機がディスプレイを含むことが有利である。
【００６３】
第２のおよび／または第３の無線放送チャンネル信号に含まれるデジタル情報を出力させるために、無線放送受信機はスピーカも含んでもよい。
【００６４】
無線放送番組の交換受信周波数をスキャンするＲＤＳの典型的なサービスを実施するために、バックグラウンドチューナは、無線放送番組の最良の受信品質を提供する受信周波数の周波数帯域をスキャンする周波数選択手段を含む。バックグラウンドチューナは、第２の無線放送チャンネル信号に含まれる第１のデータブロックの受信の終了と、第２のデータブロックの伝送時間の推定ポイントとの間のタイムスパンで周波数帯域をスキャンする。
【００６５】
第２の無線放送チャンネル信号に含まれるデジタル信号は、無線放送受信機に接続されているナビゲーションシステムにさらに供給されてもよい。
【００６６】
バックグラウンドチューナは、ナビゲーションシステムによって提供される運行経路情報に基づいて第２の受信周波数を選択するように適応されてもよい。
【００６７】
無線放送受信機は、例えば、例えば減衰または干渉に起因する無線放送チャンネル信号の受信品質の変動に応答するために、第２および／または第３の放送チャンネル信号の受信品質を計測する受信品質計測手段をさらに含んでもよい。
【００６８】
これらの計測結果は、計測された受信品質に基づいて、時間間隔および所定の時間間隔を決定するタイミング手段において使用されてもよい。
【００６９】
本発明の無線放送受信機は、車両内の受信機で使用されてもよい。
【００７０】
以下の図面では、本発明がより詳細に説明されて、本発明の好ましい実施形態を示す添付の図面およびドローイングを参照する。図中の同様の細部および対応する細部は、同一の参照符号を用いて符号付けされている。
【発明の効果】
【００７１】
本発明による無線放送受信機は、バックグラウンド受信機のダイバーシティ機能を損なうことなく、受信機のバックグラウンドチューナ内の無線放送チャンネル信号を搬送する交通および運行情報（ＴＴＩ）を受信することができる。
【発明を実施するための最良の形態】
【００７２】
現代の放送システムは、しばしば、番組を放送するとともにデジタル情報を伝送する。例えば、ＲＤＳデータストリームは、組み込まれたＴＭＣデータを伝送し得る。したがって、２つの連続的なＴＭＣデータブロック間の時間間隔は、一定ではないが、典型的には９００ｍｓと１４００ｍｓとの間で変動する。これは、約８〜１２のＲＤＳデータブロックの時間間隔に対応する。
【００７３】
本発明は、無線受信機のためのＲＤＳ規格および交通メッセージチャンネル（ＴＭＣ）フォーマットデータで伝送されるＴＴＩ情報を参照しながら説明されるが、本明細書中で説明されるデジタル情報を受信するための本方法もまた、ＤＡＢ、ＧＳＭ、またはＵＭＴＳサービス等の信号の放送とともにデジタル情報を放送する他のシステムに適用可能である。欧州ＲＤＳ規格と米国無線放送データシステム（ＲＢＤＳ）との関係が非常に近いため、本発明は、ＲＢＤＳ環境にも実施され得る。さらに、本明細書中で開示される原理は、静的および動的ＲＤＳにも適用可能である。
【００７４】
無線放送受信機１０１（図１参照）のＴＭＣ性能に関して、全てのＴＭＣデータブロックが受信されて、首尾良くデコードされることが重要である。特に、無線放送受信機１０１で無線放送番組の受信を最適化するダイバーシティ放送システムにおいて一般的に使用されるバックグラウンドチューナ１０４におけるＴＭＣ−データ受信している間には、競合要件が生じる。
【００７５】
関連番組を連続的に受信することによって、ＴＭＣデータストリームを連続的に受信することが達成される場合、バックグラウンドチューナ１０４は、ユーザによって選択される無線放送チャンネルを受信するために、最適な周波数を決定する周波数帯域をスキャンすることがもはやできない。バックグラウンドチューナが、ユーザが選択した無線放送番組の最良の受信特性を提供する潜在している受信周波数を見つけるために周波数帯域を永久にスキャンする場合、ＴＭＣデータは、離散的に受信されるだけであり得る。
【００７６】
本発明では、バックグラウンドチューナ１０４は、ＴＭＣデータを伝送する無線放送チャンネルにチューニングされる。タイミング手段１０８は、連続データブロックが伝送される時間を推定する。この手順はまた、無線放送受信機１０１のバックグラウンドチューナ１０４の初期化（ｉｎｉｔｉａｌｉｓａｔｉｏｎ）として考慮され得る。この初期化段階の継続時間に応じて、連続的ＴＭＣデータブロック間の時間的なずれ（ｔｉｍｅｌｙ  ｄｅｖｉａｔｉｏｎ）を決定することがさらに可能である。
【００７７】
初期化手順の終了の後、バックグラウンドチューナ１０４は、「通常の」動作を継続する。すなわち、メインチューナによって受信されてユーザに出力される無線放送番組の最良の可能な受信周波数を決定するために、バックグラウンドチューナ１０４のダイバーシティ機能を実行し得る。ユーザへ出力される無線放送チャンネル番組は、交通および運行情報（ＴＴＩ）を提供する無線放送チャンネル信号に必ずしも対応しているとは限らない。
【００７８】
図１は、本発明による無線放送受信機１０１の細部構造を示す。無線放送受信機１０１は、アンテナ１０２と、ナビゲーションシステム１１０と、入力手段１１１、ディスプレイ１１２およびスピーカ１１３を含むヒューマン−マシン−インターフェースとに接続される。
【００７９】
入力手段１１１は、ユーザが聞きたい所望の無線放送チャンネルを選択し、無線放送受信機１０１のナビゲーションシステム１１０をプログラミングし、かつ受信機の設定を調整する等、のコマンドを入力する可能性を提供する。ディスプレイ１１２は、ＲＤＳデータ等（番組サービス名、番組タイプ、無線テキスト、クロック時間および日付等）の情報を表示するために使用される。ＴＴＩ情報も表示されてもよい。スピーカ１１３は、選択された無線放送番組を出力する。さらに、ＲＤＳ情報をオーディオフォーマットで無線放送受信機１０１のユーザに出力することも考えられ得る。
【００８０】
無線放送受信機１０１は、メインチューナ１０３およびバックグラウンドチューナ１０４をさらに含む。無線放送受信機１０１は、マイクロプロセッサ１０７、タイミング手段１０８、および受信品質計測手段１０９を含む。
【００８１】
バックグラウンドチューナは、スイッチング手段１０５およびスキャン手段１０６を含む。さらに、バックグラウンドチューナ１０４は、図１には示されないが、周波数選択手段を含んでもよい。この周波数選択手段は、ユーザが選択した番組を提供する無線放送チャンネル信号の最適な受信周波数を選択する。
【００８２】
アンテナ１０２によって受信された信号は、メインチューナ１０３、バックグラウンドチューナ１０４、および受信品質計測手段１０８に入力される。メインチューナ１０３がスピーカ１１３に接続されて、ユーザによって選択された無線放送番組を出力する。さらに、メインチューナ１０３およびバックグラウンドチューナ１０４は、受信品質計測手段１０９に接続され、受信品質計測手段１０９は、メインチューナ１０３および／またはバックグラウンドチューナ１０４がチューニングされる無線放送チャンネルの受信品質を計測する。
【００８３】
受信品質は、以下により詳細に説明されるスイッチング時間間隔Ｔおよび所定の時間間隔Ｔｂａｃｋ−ｏｆｆを決定し得るためにタイミング手段１０８に提供される。バックグラウンドチューナ１０４は、マイクロプロセッサ１０７およびタイミング手段１０８にさらに接続される。
【００８４】
マイクロプロセッサ１０７は、ナビゲーションシステム１１０と通信する（すなわち、ナビゲーションシステム１１０とデータ交換するために使用される）。例えば、バックグラウンドチューナ１０４によって受信されたＴＴＩ情報がナビゲーションシステム１１０に伝送されてもよいし、ナビゲーションシステム１１０は、バックグラウンドチューナ１０４を新しいＴＴＩ−データ配信無線放送チャンネル信号３０２にチューニングするように要求してもよい（図３を参照）。
【００８５】
タイミング手段１０８がスイッチング手段１０５に接続されてトリガ信号を提供する。このトリガ信号で、スイッチング手段１０８は、バックグラウンドチューナ１０４のチューニングを、ユーザが選択した無線放送番組を受信する無線放送チャンネル信号３０１、ならびに、交通および運行（ＴＴＩ）情報を提供するために選択された無線放送チャンネル信号３０２から変更する。
【００８６】
図２は、ＲＤＳデータストリームの交通メッセージチャンネルＴＭＣを提供するタイプ８Ａグループのフォーマットを示す。この図は、ＲＤＳデータブロックを示す。ＲＤＳ特性を提供するために、ＲＤＳデータブロックの異なるタイプが存在する。ＲＤＳパケットの異なるタイプがＲＤＳデータストリームを構築するために連結される。ＴＭＣ情報は、示されたパケットフォーマットで提供され、ＲＤＳ−ＴＭＣデータブロックは、約９００ｍｓ〜１４００ｍｓの時間間隔をおいて配信される。パケットタイプおよびＲＤＳ規格に関するより詳細な情報に対して、それは、Ｃｏｍｉｔｅ  Ｅｕｒｏｐｅｅｎ  ｄｅ  Ｎｏｒｍａｌｉｓａｔｉｏｎから入手可能なドキュメントである、ＲＤＳ規格および利用プロトコルを定義する各ドキュメントに適用される。
【００８７】
図３を参照すると、本発明のアイデアが以下に説明される。本発明による無線放送受信機１０１は、バックグラウンド受信機１０４のダイバーシティ機能を損なうことなく、受信機１０１のバックグラウンドチューナ１０４内の無線放送チャンネル信号３０２を搬送する交通および運行情報（ＴＴＩ）を受信する可能性を提供する。
【００８８】
無線放送受信機１０１におけるバックグラウンドチューナ１０４は、ユーザが選択した番組を提供する無線放送チャンネル信号３０１を最良に受信する代わりの周波数をスキャンするために使用される。したがって、バックグラウンドチューナ１０４の主な役割の１つは、このＲＤＳの典型的なサービスを提供することである。
【００８９】
しかし、ナビゲーションシステム１１０またはユーザは、この情報を提供する代わりの無線放送チャンネル信号の交通および運行情報（ＴＴＩ）を受信することを望み得る。特に、ユーザが異なる無線放送チャンネル信号周波数を選択する場合、正確かつタイムリーな交通および運行情報（ＴＴＩ）をユーザおよび／または接続されたナビゲーションシステム１１０に提供するために、無線放送受信機１０１が１つの単一の無線放送チャンネル信号を依然として受信していることが望ましい。
【００９０】
初期化段階の間、バックグラウンドチューナ１０４は、無線放送チャンネル信号３０２の受信周波数にチューニングされ、タイミング手段１０８は、連続的なＴＭＣデータブロック３０３、３０４、および３０５の間の時間間隔Ｔを決定するために使用される。さらに、決定された時間間隔ＴのＴＭＣデータブロック３０３、３０４、および３０５の開始時間のずれに関する統計値は、無線放送受信機１０１において生成され、かつ維持され得る。
【００９１】
無線放送受信機１０１の動作は、以下のように要約され得る。ＴＭＣデータブロック３０３、３０４、および３０５のいくつかの数を受信することによってバックグラウンドチューナ１０４を開始して、連続的ＴＭＣデータブロック３０３、３０４、および３０５の時間間隔Ｔを決定し、随意に上記統計値を生成かつ維持した後、バックグラウンドチューナ１０４は、「通常」動作に変化する。「通常」動作において、バックグラウンドチューナ１０４は、無線放送チャンネル信号３０１の少なくとも１つの受信周波数にチューニングされて、代わりの周波数の周波数帯域をスキャンして、無線放送チャンネル信号３０１を受信する。ｆ１、ｆ２、ｆ３、ｆ４、およびｆ５と符号付けされた無線放送信号３０１におけるブロックは、無線放送受信機１０１のダイバーシティ機能を示す（すなわち、無線放送番組を受信するための最適化された受信周波数の代わりの周波数ｆ１、ｆ２、ｆ３、ｆ４、およびｆ５をスキャンする）。メインチューナ１０３がチューニングされる無線放送チャンネル信号およびバックグラウンドチューナ１０４が一時的にチューニングされる無線放送チャンネル信号３０１は、同一の無線放送番組を提供し得る。
【００９２】
タイミング手段１０８が時刻Ｔ０においてスイッチング手段１０５にトリガ信号を供給するとき、バックグラウンドチューナ１０４は、無線放送チャンネル信号３０１から、（本発明の実施形態ＲＤＳ−ＴＭＣでは）デジタルＴＴＩを提供する無線放送チャンネル信号３０２にそのチューニングをスイッチングする。時刻Ｔ０では、ＴＭＣデータブロック３０３は、無線放送チャンネル信号３０２で受信されることが予測される。このデータブロック３０３を受信した後、バックグラウンドチューナ１０４は、スイッチング手段１０５を用いて、ユーザが選択した番組を提供する無線放送チャンネル信号３０１に時刻Ｔ１において再度チューニングする。Ｔ１とＴ２との間の時間間隔Ｔの残りの周期では、バックグラウンドチューナ１０４は、無線放送チャンネル信号３０１の代わりの受信周波数ｆ１、ｆ２、ｆ３、ｆ４およびｆ５のスキャンを継続し得る。ＲＤＳ情報を得るために（代わりの周波数ｆ１、ｆ２、ｆ３、ｆ４、ｆ５のいずれかで、無線放送周波数信号３０１が放送される）、バックグラウンドチューナ１０４は、無線放送チャンネル信号３０１に含まれたＲＤＳデータストリームを読み出して、必要な情報を獲得し得る。あるいは、メインチューナ１０３は、それがチューニングされて、無線放送番組の代わりの周波数ｆ１、ｆ２、ｆ３、ｆ４、ｆ５を獲得する無線放送チャンネル信号に含まれるＲＤＳ−データストリームを読み出し得る。代わりの周波数ｆ１、ｆ２、ｆ３、ｆ４、ｆ５を得た後、メインチューナ１０３は、バックグラウンドチューナ１０４がそのダイバーシティ機能を提供することができるように、バックグラウンドチューナ１０４に同じ周波数を知らせ得る。
【００９３】
時間間隔Ｔが時刻Ｔ２まで経過すると、バックグラウンドチューナ１０４は再度、次のＲＤＳ−ＴＭＣデータブロック３０４を受信するために無線放送チャンネル信号３０２にチューニングされる。データブロック３０４を受信した後、スイッチング手段１０５は、無線放送チャンネル信号３０１の代わりの受信周波数ｆ１、ｆ２、ｆ３、ｆ４、ｆ５でバックグラウンドチューナ１０４が周波数帯域のスキャンを継続し得るように、無線放送チャンネル信号３０１の受信周波数にバックグラウンドチューナ１０４を再度チューニングする。ＴＭＣデータブロック間の時間間隔Ｔが変化し得るので、交通および運行情報を提供する無線放送チャンネル信号３０２のＴＭＣデータブロックの最初が無くなり、データブロックを首尾よくデコードすることができなくなる可能性がある。本発明による無線放送受信機１０１におけるこのような条件および動作は、図４に示される。
【００９４】
図４は、図３の無線放送チャンネル信号３０１および３０２、ならびにＴＴＩ情報を提供する無線放送チャンネル信号３０２のＴＭＣデータブロック４０３、４０４、および４０５を示す。２つの連続的なＴＭＣデータブロック間の予測された時間間隔Ｔもまた示される。
【００９５】
無線放送受信機１０１によって予測されるよりも早くＴＭＣデータブロック４０４が伝送されている。バックグラウンドチューナ１０４が無線放送チャンネル信号３０２の受信周波数にチューニングされる時刻Ｔ２では、ＴＭＣデータブロック４０４の最初が無くなり、このデータブロック４０４を首尾よくデコードすることができない。バックグラウンドチューナ１０４がＴ２とＴ４との間の対応する時間間隔Ｔにおいて、ＴＭＣデータブロックの最初を見つけられないので、バックグラウンドチューナ１０４は、次のＴＭＣデータブロック４０４が受信される時刻Ｔ５まで、無線放送チャンネル信号３０２にチューニングされたままである。
【００９６】
したがって、周期Ｔ３〜Ｔ４の間において、バックグラウンドチューナ１０４は、ユーザが選択した番組を提供する無線放送チャンネル信号３０１で配信されるＲＤＳデータストリームを受信することができない。このような動作が望ましくないので、タイミング手段１０８も、所定の時間間隔Ｔｂａｃｋ−ｏｆｆを決定する。所定の時間間隔Ｔｂａｃｋ−ｏｆｆが経過すると、スイッチング手段１０５は、ＴＴＩ情報を提供する無線放送チャンネル信号３０２でＴＭＣデータブロックが受信されているかいないかに関わらず、無線放送チャンネル信号３０１の受信周波数にバックグラウンドチューナ１０４をチューニングする。本発明によって提供された教示を適用することによって、ＴＭＣデータブロックの最初が無くなった場合に、または、ＴＭＣデータブロックが所定の時間間隔Ｔで送信されなかった場合に、バックグラウンドチューナ１０４が無線放送チャンネル信号３０１にチューニングされたままであることを妨ぎ、バックグラウンドチューナ１０４のダイバーシティ機能を維持することができる。
【００９７】
タイミング手段１０８では、ＴＭＣデータブロックを受信した後のタイマーが経過した時間を計測し、バックグラウンドチューナ１０４をＴＭＣブロードキャストチャンネル信号３０２にスイッチングする。予測されたＴＭＣデータブロックが受信されるまで、バックグラウンドチューナ１０４は、ＴＭＣ無線放送チャンネル信号３０２にチューニングされたままである。さらに、所定の時間間隔Ｔｂａｃｋ−ｏｆｆの形式タイムアウトし、その後、バックグラウンドチューナ１０４は、ユーザによって選択された無線放送チャンネル信号３０１に再度スイッチングされ、スキャンを継続し、そのチャンネルのＲＤＳ情報を受信して、上記のような望ましくない動作を妨げる。この所定の時間間隔Ｔｂａｃｋ−ｏｆｆの継続時間は、２つの連続的なＴＭＣデータブロックの間の計測されたタイムスパンの統計値を維持することによって決定される。バックグラウンドチューナ１０４のスイッチング手段１０５がリスナーによって選択された無線放送番組信号３０１からＴＭＣ無線放送チャンネル信号３０２にスイッチングされるときに、この統計値が更新される。
【００９８】
２つのＴＭＣデータブロック間の時間間隔Ｔは、ＴＭＣ無線放送チャンネル信号３０２の受信品質によって影響され得る。従って、ユーザが選択した番組を提供する無線放送チャンネル信号３０１とバックグラウンドチューナ１０４のＴＭＣ無線放送チャンネル信号３０２との間の周期的なスイッチングが適用され得る。受信品質が悪い場合には、通常、ＲＤＳデータを首尾良く受信することが困難であるので、ＴＭＣデータブロックはほとんどデコードされ得ない。これらの場合には、所定の時間間隔Ｔｂａｃｋ−ｏｆｆがそれにしたがって、またはその代わりに短縮され、受信中の干渉がより長い周期にわたって発生する場合に、新しい初期化が実行される必要がある。
【００９９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【０１００】
（要約）
本発明は、デジタルデータを無線放送受信機で受信するための方法および受信機に関する。チューナのダイバーシティ機能を損なうことなく、受信機のバックグラウンドチューナを用いて所定の番組のＴＭＣデータを安定して受信するために、本発明は、第１の受信周波数に受信機のメインチューナをチューニングして、第１の放送チャンネル信号を受信し、第２の受信周波数にバックグラウンドチューナをチューニングして、第２の放送チャンネル信号（第２の放送チャンネル信号は、データブロック中にデジタル情報を含む）を受信し、第２の放送チャンネル信号における第１のデータブロックをバックグラウンドチューナにおいて受信し、第２の放送チャンネル信号中の第２のデータブロックの伝送時間を推定し、第一のデータブロックの受信の完了の際、第３の受信周波数にバックグラウンドチューナをチューニングし、そして、推定された第２のデータブロックの時間において第２の受信周波数にバックグラウンドチューナをチューニングする。
【図面の簡単な説明】
【０１０１】
【図１】図１は、本発明による無線放送受信機の細部構造を示す。
【図２】図２は、ＲＤＳ−ＴＭＣ情報を伝送するために用いられるタイプ８Ａグループのフォーマットを示す。
【図３】図３は、ＲＤＳ−ＴＭＣデータを搬送する第２の無線放送チャンネル信号と、ＲＤＳデータストリームを含む第３の無線放送チャンネルとの間の切り替えを示す。
【図４】図４は、第２の無線放送チャンネルのＲＤＳ−ＴＭＣデータブロックが損失した場合の、第２の無線放送チャンネル信号と第３の無線放送チャンネル信号との間の切り替えを示す。
【符号の説明】
【０１０２】
１０１  無線放送受信機
１０２  アンテナ
１０３  メインチューナ
１０４  バックグラウンドチューナ
１０５  スイッチング手段
１０６  スキャン手段
１０７  マイクロプロセッサ
１０８  タイミング手段
１０９  受信品質計測手段
１１０  ナビゲーションシステム
１１１  入力手段
１１２  ディスプレイ
１１３  スピーカ
【図１】
2004343745.tif 000003
【図２】
2004343745.tif 000004
【図３】
2004343745.tif 000005
【図４】
2004343745.tif 000006